(57)【特許請求の範囲】
【請求項１】
ツールホルダの一端に形成した、機械構造用合金鋼であるクロムモリブデン鋼よりなるテーパシャンク部を工作機械主軸の端部に形成されたテーパ穴に嵌合することにより、上記ツールホルダを把持する工作機械において、上記テーパ穴を構成するテーパ部を鋼で構成するとともに、当該テーパ部の上記ツールホルダ側の端面近傍の外周に切欠部を設け、上記切欠部に上記テーパシャンク部の材料の比重より２８％以上小さく、かつ上記テーパ部および上記テーパシャンク部の材料のヤング率以上であるセラミックス製挿入リングを嵌合したことを特徴とする工作機械。
【請求項２】
ツールホルダの一端に形成した、機械構造用合金鋼であるクロムモリブデン鋼よりなるテーパシャンク部を工作機械主軸の端部に形成されたテーパ穴に嵌合することにより、上記ツールホルダを把持する工作機械において、上記テーパ穴を構成するテーパ部を鋼で構成するとともに、当該テーパ部の上記ツールホルダ側の端面近傍の外周に切欠部を設け、上記切欠部に上記テーパシャンク部の材料の比重より２８％以上小さく、かつ上記テーパ部および上記テーパシャンク部の材料のヤング率以上であるアルミナセラミックス製挿入リングを嵌合したことを特徴とする工作機械。
【請求項３】
ツールホルダの一端に形成した、機械構造用合金鋼であるクロムモリブデン鋼よりなるテーパシャンク部を工作機械主軸の端部に形成されたテーパ穴に嵌合することにより、上記ツールホルダを把持する工作機械において、上記テーパ穴を構成するテーパ部を機械構造用合金鋼であるクロムモリブデン鋼で構成するとともに、当該テーパ部の上記ツールホルダ側の端面近傍の外周に切欠部を設け、上記切欠部に上記テーパシャンク部の材料の比重より２８％以上小さく、かつ上記テーパ部および上記テーパシャンク部の材料のヤング率以上であるセラミックス製挿入リングを嵌合したことを特徴とする工作機械。
【請求項４】
ツールホルダの一端に形成した、機械構造用合金鋼であるクロムモリブデン鋼よりなるテーパシャンク部を工作機械主軸の端部に形成されたテーパ穴に嵌合することにより、上記ツールホルダを把持する工作機械において、上記テーパ穴を構成するテーパ部を機械構造用合金鋼であるクロムモリブデン鋼で構成するとともに、当該テーパ部の上記ツールホルダ側の端面近傍の外周に切欠部を設け、上記切欠部に上記テーパシャンク部の材料の比重より２８％以上小さく、かつ上記テーパ部および上記テーパシャンク部の材料のヤング率以上でアルミナセラミックス製挿入リングを嵌合したことを特徴とする工作機械。  
【発明の詳細な説明】
【技術分野】
【０００１】
本発明は、主として金型などの難削材料の加工に用いられる工作機械、特にその主軸構造およびツールホルダに関する発明であって、主軸回転数が高速化してもツールホルダの把持力の低下が少なく、耐びびり性の高い主軸構造およびツールホルダを提供する。
【背景技術】
【０００２】
自動車部品金型のように加工体積が大きい金型を高効率で切削加工するための一つの方法として、工作機械に大出力で高回転数の主軸モータを搭載し、主軸回転数を高くして加工する方法が採用される。しかし、工作機械の主軸回転数を高速化することによって、加工中にびびり振動が発生しやすくなるなど、高速化を妨げる様々な問題が頻出することが知られている。
【０００３】
工作機械主軸の高速化に伴うこのような問題を回避するためには、工作機械主軸およびツールホルダの耐びびり性を向上させる必要があるが、特に、近年、高速回転中に工作機械主軸およびツールホルダの耐びびり性が不足するといった問題が顕著になってきた。一般的に工作機械主軸およびツールホルダの耐びびり性はそれらの剛性と振動減衰性の積で表され、これらのいずれかもしくは両方の特性を改善することによって、工作機械主軸およびツールホルダの耐びびり性を向上させることができると考えられている。
【０００４】
さらに又、主軸の高速回転中時にツールホルダのテーパシャンク部と工作機械主軸のテーパ部の接触状態が悪化することによる剛性の低下が、高速回転時の工作機械主軸およびツールホルダの耐びびり性を低下させる原因の一つとなっていると考えられている（例えば、非特許文献１参照。）。
【０００５】
近年、ツールホルダテーパ面と工作機械主軸テーパ穴の接触状態が主軸の高速回転域でも良好な状態を維持するため、二面拘束型のツールホルダが提案されている（例えば、非特許文献２参照。）。この二面拘束型ツールホルダの特徴は、工作機械主軸に把持したときに工作機械主軸とツールホルダをテーパ面同士で接触させるほか、主軸端面でツールホルダのフランジ部と接触させるため、二つの接触面でツールホルダを工作機械主軸に拘束できる構造になっている。しかし、二面拘束型のツールホルダでは、テーパ面や接触面に切削屑をかみ込みやすく、工作機械主軸とツールホルダの接触状態が悪化した場合、二面拘束状態を維持することが難しく、従来の二面拘束型でないツールホルダより耐びびり性が低下するといった症状が報告されるようになってきた。
【０００６】
このように、従来は、主として静止状態に着目してツールホルダおよび工作機械主軸の設計がなされてきたが、主軸回転数の高速化に伴って、高速回転中における主軸およびツールホルダの状態が十分考慮されて設計されたたツールホルダおよび工作機械主軸が求められるようになってきている。
【非特許文献１】安東広之・小幡文雄・上原一剛、2005年度精密工学会鳥取地方学術講演              会講演論文集、31-32。
【非特許文献２】清水伸二・熊切洋平・坂本治久、2005年度精密工学会春季大会学術講演              会講演論文集、713-714。
【発明の開示】
【発明が解決しようとする課題】
【０００７】
工作機械主軸にツールホルダを把持して高速回転させた場合、非特許文献１に示されるように、工作機械主軸およびツールホルダに作用する遠心力によってテーパ面同士の良好
な接触状態を維持することができなくなる。これは工作機械主軸のテーパ穴の大きさが遠心力によってツールホルダのテーパシャンク部より大きくなるためであり、工作機械主軸はツールホルダに比べて遠心力の影響を受けやすいことが原因と考えられる。
【０００８】
本発明で解決しようとする課題は、工作機械主軸およびツールホルダに遠心力が作用してもテーパ面同士の良好な接触状態を維持することによって、高速回転数域でも耐びびり性が低下しない工作機械主軸およびツールホルダを提供しようとするものである。
【課題を解決するための手段】
【０００９】
本発明請求項１の発明は、ツールホルダの一端に形成した、機械構造用合金鋼であるクロムモリブデン鋼よりなるテーパシャンク部を工作機械主軸の端部に形成されたテーパ穴に嵌合することにより、上記ツールホルダを把持する工作機械において、上記テーパ穴を構成するテーパ部を鋼で構成するとともに、当該テーパ部の上記ツールホルダ側の端面近傍の外周に切欠部を設け、上記切欠部に上記テーパシャンク部の材料の比重より２８％以上小さく、かつ上記テーパ部および上記テーパシャンク部の材料のヤング率以上であるセラミックス製挿入リングを嵌合したことを特徴とする工作機械である。  
【００１０】
本発明請求項２の発明は、ツールホルダの一端に形成した、機械構造用合金鋼であるクロムモリブデン鋼よりなるテーパシャンク部を工作機械主軸の端部に形成されたテーパ穴に嵌合することにより、上記ツールホルダを把持する工作機械において、上記テーパ穴を構成するテーパ部を鋼で構成するとともに、当該テーパ部の上記ツールホルダ側の端面近傍の外周に切欠部を設け、上記切欠部に上記テーパシャンク部の材料の比重より２８％以上小さく、かつ上記テーパ部および上記テーパシャンク部の材料のヤング率以上であるアルミナセラミックス製挿入リングを嵌合したことを特徴とする工作機械である。
【００１１】
本発明請求項３の発明は、ツールホルダの一端に形成した、機械構造用合金鋼であるクロムモリブデン鋼よりなるテーパシャンク部を工作機械主軸の端部に形成されたテーパ穴に嵌合することにより、上記ツールホルダを把持する工作機械において、上記テーパ穴を構成するテーパ部を機械構造用合金鋼であるクロムモリブデン鋼で構成するとともに、当該テーパ部の上記ツールホルダ側の端面近傍の外周に切欠部を設け、上記切欠部に上記テーパシャンク部の材料の比重より２８％以上小さく、かつ上記テーパ部および上記テーパシャンク部の材料のヤング率以上であるセラミックス製挿入リングを嵌合したことを特徴とする工作機械である。
【００１２】
本発明請求項４の発明は、ツールホルダの一端に形成した、機械構造用合金鋼であるクロムモリブデン鋼よりなるテーパシャンク部を工作機械主軸の端部に形成されたテーパ穴に嵌合することにより、上記ツールホルダを把持する工作機械において、上記テーパ穴を構成するテーパ部を機械構造用合金鋼であるクロムモリブデン鋼で構成するとともに、当該テーパ部の上記ツールホルダ側の端面近傍の外周に切欠部を設け、上記切欠部に上記テーパシャンク部の材料の比重より２８％以上小さく、かつ上記テーパ部および上記テーパシャンク部の材料のヤング率以上でアルミナセラミックス製挿入リングを嵌合したことを特徴とする工作機械である。
【発明の効果】
【００１６】
本発明請求項１〜４の発明は、それぞれ上述する構成よりなり、以下の実施例の説明のところで更に明らかにするように、高速回転数域でも耐びびり性の低下しない工作機械主軸およびツールホルダを提供し得る。
【００１７】
本発明の基本的な構成要件であるツールホルダのテーパシャンク部に比べて比重の小さい材料で主軸のテーパ部を構成することによって、主軸テーパ穴はツールホルダのテーパシャンク部より遠心力の影響を受けにくくなり、従来のSCM415製等の主軸より遠心力によるテーパ穴の拡大量は小さくなる。このため、主軸が高速回転した場合でも、主軸テーパ穴とツールホルダのテーパシャンク面は良好な接触状態を維持できると考えられる。また、主軸テーパ部およびツールホルダのテーパシャンク部の材料は、鋳鉄のヤング率以上のヤング率を持つ材料でないと実用に適さない。
【発明を実施するための最良の形態】
【００１８】
以下、添付図面を参照しつつ、本発明の実施形態を具体的に説明する。
【実施例１】
【００１９】
図１は、ツールホルダ１と工作機械主軸４から構成される工作機械主軸系モデルを示す。本モデルは、セラミックス製の工作機械主軸４とSCM415（機械構造用合金鋼であるクロムモリブデン鋼）製のツールホルダ１、軸受２（２ａと２ｂ）、プルスタッド３から構成される。尚、５はツールホルダのホルダ部、８は主軸４の端部に形成されたテーパ穴であり、９は同テーパ穴８を構成するテーパ部である。本主軸系モデルでは主軸端とツールホルダフランジ部７の端面との間に2 mmの隙間を設け、4個の主軸端側玉軸受２ａはアンギュラ玉軸受、1個の後側軸受２ｂは円筒ころ軸受で工作機械主軸が支持されているが、フランジ端面との隙間、軸受の配置および個数については、これらに限定されるものではない。
【００２０】
以下に、図１に示した主軸系モデルについて、ツールホルダ１および工作機械主軸４の剛性解析を行った結果から本実施例の有効性を示す。
【００２１】
図２は、本実施例の主軸系モデルの解析に用いた境界条件を示す。本主軸系モデルでは、プルスタッド３の外径はツールホルダのテーパシャンク部６の小端径と同じ径とし、ツールホルダ１とプルスタッド３および主軸４と軸受２は、それぞれの接触面において互いに連結させた。なお、ツールホルダのテーパシャンク部６と主軸テーパ面の接触は接触要素を用いてモデル化した。アンギュラ軸受２ａの外周は完全固定、また円筒ころ軸受２ｂの外周は半径方向に固定した。プルスタッド３を介してツールホルダ１にクランプ力Ｆｃ＝７ｋＮを加え、ツールホルダ先端部に曲げ荷重Ｆを加えた。このときの先端の曲げ荷重方向のたわみをδとすると、解析モデルの曲げ剛性ＫはＫ＝Ｆ／δで与えられる。
【００２２】
表１と表２はそれぞれ、解析に用いた物性値とその解析条件を示す。工作機械主軸（スピンドル）４にはセラミックス材料として、酸化アルミニウム（アルミナ）、窒化珪素、ジルコニアを用いた場合について計算を行った。本解析で検討したいずれのセラミックス材料も鋳鉄（ヤング率７３．６〜１２７．５ＧＰa）に比べて２倍以上の高いヤング率を有する材料である。なお、軸受中の隙間を考慮し、軸受（ベアリング）のヤング率および密度の値はツールホルダの値の半分とした。表中のＬ／Ｄはツールホルダのホルダ部長さＬとホルダ部直径Ｄの比である。
【００２３】
【表１】
0004714878.tif 000002
【００２４】
【表２】
0004714878.tif 000003
【００２５】
図３は、ツールホルダ１の曲げ剛性比Ｋ／Ｋｒに及ぼす主軸回転数ｎの影響の解析結果を示す。なお、縦軸のＫ／Ｋｒは、曲げ剛性Ｋのツールホルダのテーパシャンク部を完全固定したときの曲げ剛性Ｋｒに対する比である。また、図中には、本実施例の主軸系の有効性を明らかにするために、通常用いられているSCM415製テーパシャンクを有するツールホルダ１とSCM415製工作機械主軸４ の組み合わせの工作機械主軸系の計算結果も示した。
【００２６】
SCM415製主軸では主軸回転数の増加に伴い曲げ剛性比は低下したが、酸化アルミニウム製および窒化珪素製のセラミックス主軸ではほとんど変化しなかった。なお、他のセラミックスと比較して密度が高かったジルコニアの場合、主軸回転数の増加に伴って曲げ剛性比は徐々に低下した。また、主軸回転数に関わらず、いずれのセラミックス製主軸の場合も、SCM415製主軸より曲げ剛性比は高く、かつ主軸回転数の増加に伴ってその差は大きくなった。
【００２７】
本実施例ではSCM415製ツールホルダとSCM415より比重が小さく、かつ鋳鉄よりヤング率の大きいセラミックスを用いた工作機械主軸の組み合わせについて数値解析結果に基づいて検討した。その結果、これらの組み合わせでは高速回転域でもツールホルダ１の剛性は低下しないことを明らかにし、本実施例の主軸系の有効性を明らかにした。
【００２８】
従来からセラミックス製の工作機械主軸４に関する発明、考案が公開されているが（例えば、実開昭６１−５５０２号公報、実開昭６０−１５３７３２号公報、特公平４−１６２８４号公報、特開平１０−２７７８０３号公報、特開平１１−７０４０１号公報など）、これらの発明、考案は主軸４の軽量化に着目したものであり、工作機械主軸４とツールホルダ１のテーパ面の接触状態を改善することを目的としたものではない。また、これら
の先行技術に示されている発明では、主軸４に比べて比重が大きいツールホルダ１を嵌合して使用することや、工作機械主軸とツールホルダテーパシャンク部の材料のヤング率に関する言及もない。
【実施例２】
【００２９】
実施例１では、従来のSCM415製ツールホルダ１に比べて比重が小さく、かつ剛性の高い材料としてセラミックスを工作機械主軸４の材料に選定した結果を示したが、主軸材料はセラミックスに限定するものではない。また、図３では、酸化アルミニウム、窒化珪素、ジルコニアの比重の異なる３種類のセラミックスを主軸材料として用いた場合の曲げ剛性比を示した。これらのセラミックスはSCM415の比重に比べてそれぞれ49%、59%、28%小さく、このうちもっともSCM415の比重に近かったジルコニアの場合、酸化アルミニウムや窒化珪素に比べて、主軸回転数の増大に伴う曲げ剛性比の低下の割合は大きかったが、SCM415の場合より低下の割合は十分小さかった。これらの結果から、工作機械主軸４の材料の比重は、ツールホルダテーパシャンク部の材料の比重は２８％以上小さいことが望ましいといえる。
【実施例３】
【００３０】
実施例１、２では、SCM415製ツールホルダとセラミックス製主軸の組み合わせの工作機械主軸系における曲げ剛性の数値解析結果から、主軸材料がツールホルダテーパシャンク部の比重に比べて２８％以上小さい材料であれば、高速回転域でもツールホルダ１の曲げ剛性比はSCM415製ツールホルダとSCM415製主軸の組み合わせの工作機械主軸系における曲げ剛性比と比較して低下しないことを明らかにした。一方で、工作機械主軸系の耐びびり性（剛性×減衰性）を向上させるためには、工作機械主軸およびツールホルダから構成される工作機械主軸系の減衰性を向上させることも重要である。
【００３１】
工作機械の機体や構成部品の多くに鋳鉄製の部品が従来から多用されている理由の一つは、鋳鉄が他の鋼製の材料に比べて振動減衰性が優れているためであり、請求項１および請求項２に記載の工作機械であれば、セラミックス製の主軸と鋳鉄製のツールホルダの組み合わせで工作機械主軸系の減衰性および耐びびり性を改善できる。しかし、鋳鉄は、主軸やツールホルダの材料として一般的に用いられるSCM415に比べてヤング率が約半分であるため、ツールホルダ単体における曲げ剛性の低下が懸念される。このため、ツールホルダのテーパシャンク部のみを鋳鉄製として、ホルダ部５やフランジ部７は従来のSCM415とすることが望ましい。好ましくは、従来のSCM415製のフランジ部およびホルダ部に拡散溶接法で鋳鉄製テーパシャンク部を接合したツールホルダとすることがよい。
【００３２】
さらに、ツールホルダの着脱時におけるテーパ面の摩耗を防止するため、鋳鉄製ツールホルダテーパシャンク部のテーパ面は、高い硬度を有することが実用上は望ましく、表面処理や熱処理によって、ツールホルダのテーパ面の表面硬度を高めたツールホルダを用いることが望ましい。
【実施例４】
【００３３】
実施例１、２では、鋼と比較して低比重・高剛性のセラミックスを主軸材料に用いた場合のツールホルダ曲げ剛性と主軸回転数の関係を、FEM解析（有限要素解析）を用いた数値シミュレーションの検討に基づいて明らかにし、その有効性を示した。セラミックス製主軸の場合、鋼製ツールホルダのシャンク部テーパ面と主軸テーパ面との接触面積は鋼製主軸の場合と比較して広く、この傾向は主軸回転数が高くなるほど顕著となった。その結果、セラミックス製主軸の場合、鋼製ツールホルダの曲げ剛性は主軸回転数によらず鋼製主軸の場合よりも高く、かつ主軸回転数の影響を受けにくかった。
【００３４】
本実施例では、鋼製主軸のツールホルダ側端面近傍の外周にセラミックスリングを挿入
した場合のツールホルダの曲げ剛性についてFEM解析を用いた数値シミュレーションで明らかにし、その有効性について明らかにする。
【００３５】
図４、５は、ツールホルダ１の曲げ剛性を簡便に向上させるために検討した、アルミナセラミックス製挿入リング１０を主軸４のテーパ部９の一部に嵌合した鋼製主軸４からなる主軸系のFEM解析モデルを示す。主軸４の端面とツールホルダフランジ部７との端面の間には1 mmの隙間を設けた。ツールホルダ１のホルダ部５は、直径D=20 mm、長さL=60 mm、L/D=3である。４個の主軸端側軸受２ａはアンギュラ玉軸受、また２個の主軸後端側軸受２ｂは円筒ころ軸受である。図５中で、hはリング１０の幅(= 17.5 mm)、sはリング挿入部分のしめしろ(=0 mm)であり、リング１０の厚さtは10 mmとした。
【００３６】
図４中に示したように、アンギュラ玉軸受の外周は完全固定、円筒ころ軸受の外周は半径方向に固定し、クランプ力Ｆｃ=7ｋＮを付与したツールホルダ１の先端部には切削抵抗の曲げ荷重成分Ｆ(=１ｋＮ)を作用させた。本解析では、ツールホルダ１のシャンク部６を固定端、他端を自由端として得られる、ツールホルダ１の先端部に作用させた一定の曲げ荷重Fによるその方向のたわみδとし、Ｆ/δでツールホルダ１の曲げ剛性Ｋを定義した。
【００３７】
表３、表４は、本実施例のFEM解析で用いたモデルの材料物性値と境界条件を示す。ツールホルダ１、主軸４の材料はSCM415製とし、セラミックス製リング１０はアルミナセラミックスとした。
【００３８】
【表３】
0004714878.tif 000004
【００３９】
【表４】
0004714878.tif 000005
【００４０】
図６は、本実施例に係るツールホルダ１の曲げ剛性比Ｋ／Ｋｒに及ぼす主軸４の材料、挿入リング１０、および主軸回転数ｎの影響を示す。縦軸Ｋ／Ｋｒは、ツールホルダシャンク部６を完全固定したときの曲げ剛性Ｋｒに対するＫの比である。ＫｒはｎおよびＦには無関係であり、解析に用いた鋼製ツールホルダ１の場合は17.3 kN/mmであった。
【００４１】
アルミナセラミックス製主軸４のＫ／Ｋｒは最大で、ｎにはほとんど影響されなかった。アルミナセラミックス製挿入リング１０を嵌合した鋼製主軸４のＫ／Ｋｒは、アルミナセラミックス製の主軸４よりやや小さかったが、ｎの影響は受けなかった。鋼製の主軸４のＫ／Ｋｒは、ｎ＞10,000 min-1でｎの増大により大きく減少したため、高主軸回転数域ではアルミナセラミックス製リング１０を嵌合した鋼製の主軸４よりも小さくなった。
【００４２】
高主軸回転数域では、クランプ力Ｆｃによるツールホルダ１の軸方向変位が問題となる。図７は、図６に対応する、ツールホルダ軸方向変位に及ぼす主軸４の材料、挿入リング１０、およびｎの影響を示す。アルミナセラミックス製の主軸４の場合のツールホルダ軸方向変位は他の主軸４と比較して小さく、その違いは高主軸回転数になるほど顕著となった。アルミナセラミックス製挿入リング１０を嵌合した鋼製の主軸４の場合のツールホルダ軸方向変位は、鋼製の主軸４と比較して小さいものの、ｎ＝30,000 min-1では両者の間に図６に示したＫ／Ｋｒで見られたような差は認められなかった。
【００４３】
本実施例では、鋼製の主軸４のツールホルダ側端面近傍の外周にアルミナセラミックス製リング１０を挿入した主軸４の場合、ツールホルダ１の曲げ剛性はアルミナセラミックス製の主軸４と比較すればやや小さかったものの、主軸回転数の影響をほとんど受けず、高主軸回転数域で鋼製の主軸４より大きくなることを明らかにした。また、アルミナセラミックス製挿入リング１０を嵌合した鋼製の主軸４のツールホルダ軸方向変位は鋼製の主軸４と比較して小さいことを明らかにした。これらの数値シミュレーション結果から、本実施例に示したアルミナセラミックス製リング１０を挿入した主軸４の有効性を明らかにした。
【図面の簡単な説明】
【００４４】
【図１】本発明の一実施例におけるツールホルダと工作機械主軸から構成される工作機械主軸系モデルを示す一部断面図である。
【図２】本発明の一実施例における主軸系モデルの解析に用いた境界条件を説明するための一部断面図である。
【図３】本発明の一実施例におけるツールホルダの曲げ剛性Ｋ／Ｋｒに及ぼす主軸回転数の影響の解析結果を示す図である。
【図４】本発明の他の実施例におけるツールホルダと工作機械主軸から構成される工作機械主軸系モデルを示す一部断面図である。
【図５】本発明の他の実施例における主軸系モデルの解析に用いた境界条件を説明するための一部断面図である。
【図６】本発明の他の実施例におけるツールホルダの曲げ剛性Ｋ／Ｋｒに及ぼす主軸回転数の影響の解析結果を示す図である。
【図７】本発明の他の実施例におけるツールホルダの引き込まれ量に及ぼす主軸回転数の影響の解析結果を示す図である。
【符号の説明】
【００４５】
１  ツールホルダ
２  軸受
３  プルスタッド
４  工作機械主軸
５  ツールホルダのホルダ部
６  ツールホルダのテーパシャンク部
７  ツールホルダのフランジ部
８  テーパ穴
９  テーパ部
１０  挿入リング
【図１】
0004714878.tif 000006
【図２】
0004714878.tif 000007
【図３】
0004714878.tif 000008
【図４】
0004714878.tif 000009
【図５】
0004714878.tif 000010
【図６】
0004714878.tif 000011
【図７】
0004714878.tif 000012